(57)【要約】      （修正有）【課題】錘を利用して安価で安定性の高い回転エネルギーを生成する。【解決手段】装置が静止している状態から次の運動により回転運動を加速する。１．主円盤回転を手で停止させ、この静止した状態にて手を放すと次の順序で装置は回転運動を継続する。２．吊下棒と上乗棒が別個の状態では吊下歯車が時計回りに回転落下して上乗歯車を持上げて回転体重心は上昇する。吊下歯車が回転を停止する前に上乗棒に吊下棒を乗せて一体化する。３．一体化した上乗棒と吊下棒は回転体重心が落下移動するために主円盤全体が反時計回りに回転して吊下歯車を持上げる。主円盤全体が回転を停止する前に上乗棒と吊下棒を分離する。４．これにより上乗棒と吊下棒は一体装置と分離装置の間をシーソーのように上下運動を交互に繰返して，吊下歯車は時計回り，上乗歯車と主円盤は反時計回りに回転運動を継続する。５．この後は２と３の運動を交互に繰返して回転運動を徐々に加速する。【選択図】図１
2012021520.tif 000002
【特許請求の範囲】
【請求項１】
水平方向の回転軸を持つ回転体に配置した錘が錘相互間の落下力による錘安定位置への移動運動と回転体全体の安定重心位置への回転運動を交互に行なって回転運動を継続させる装置。
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置にて利用できる資源には次の課題点が掲げられる。
風力は適切な風を必要とするので常時の安定エネルギー供給に難がある。
水力は大きな設備を必要として最終エネルギーを必要とする場所から遠隔地に離れている。
火力は石油資源を消費することで温暖化等の大きな問題を生み出しており資源には限りがある。
原子力は事故発生時の影響が極端に大きく最終的に後処理の難しい副産物を発生している。
電力は現在上記の何れかを必要としている。
【課題を解決するための手段】
【０００４】この錘回転装置は常時地球上の地域性によらず普遍的に作用している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】■概要
図例のように歯車を組み合わせて各歯車の半径と吊下歯車および上乗歯車重量を適当な値にすると，吊下歯車と上乗歯車をそれぞれ別個にした場合は回転落下力の差異から吊下歯車が回転落下して上乗歯車を転がしながら持上げて，同一棒に乗せて一体化した場合は全体の重心が落下するために回転体全体が回転して吊下歯車を持上げられて上乗歯車が落下するという両者逆の上昇と下降運動を行なう。本装置はこの運動を交互に繰返す機構を組み込むことで装置内の錘を使用して回転運動を永続する。
■装置仕様
水平に置いた台に垂直に支柱を２本立てる。２本の支柱上部の間に自由に回転できるように水平回転棒を装着する。水平回転棒に主円盤大と主円盤小歯車を固定して，伝達歯車大と伝達歯車小は自由に１体化して回転できるように装着する。吊下歯車小は主円盤小に，吊下歯車大は伝達歯車小に接するように吊下棒を使用して水平回転棒に１体化して回転できるように吊下げる。逆回転歯車は伝達歯車大と上乗歯車に接するように上乗棒を使用して水平回転棒に吊下げる。上乗歯車には吊下歯車大小重量を考慮して次に述べる条件を満たした適当な重量の錘円盤を装着する。図例ではそれぞれの歯車半径は，主円盤大２００，小８０，吊下歯車大１００，小８０，伝達歯車大１２０，小６０，逆回転歯車２０，上乗歯車２０としているが，この場合には吊下歯車は自身重量の４倍の上乗歯車重量と回転落下力が同一角度にて均衡するので上乗歯車重量を吊下歯車重量の３倍程度として上記の要件に応える。
吊下棒と上乗棒を別個にするとそれぞれの回転落下力差から吊下歯車が主円盤小まわりを時計回りに回転落下するが，落下を停止する前に切替装置と一体装置にて上乗棒に吊下棒を乗せて一体化する。上乗棒に吊下棒を乗せて一体化すると全体重心が水平回転棒の鉛直線下方に移動するために主円盤全体が反時計回りに回転するが，回転を停止する前に切替装置と分離装置にて上乗棒と吊下棒を分離する。切替装置は吊下棒と上乗棒に装着してそれらの一体化と分離作業を行ない，一体装置と分離装置は支柱に位置を固定して切替装置にこの作業を協力する。
主円盤と上乗歯車には時計回りの回転を防止するために逆回転防止装置を装備して装置回転の初動を容易として，また回転運動が停止することを防止している。
■動作仕様
１．主円盤回転（水平回転棒回転）を手で停止させるとやがて装置全体が静止する。この静止した状態にて手を放すと最初の動作に差異はあるが，やがて次の順序で装置は回転運動を継続する。
２．吊下棒と上乗棒が別個の状態では吊下歯車が主円盤小まわりを時計回りに回転落下して主円盤大に接する上乗歯車を持上げて回転体重心は上昇する。吊下歯車が回転を停止する前に切替装置と一体装置にて上乗棒に吊下棒を乗せて一体化する。
３．一体化した上乗棒と吊下棒は回転体重心が落下移動するために主円盤全体が反時計回りに回転して吊下歯車を持上げる。主円盤全体が回転を停止する前に切替装置と分離装置にて上乗棒と吊下棒を分離する。
４．これにより上乗棒と吊下棒は一体装置と分離装置の間をシーソーのように上下運動を交互に繰返して，吊下歯車は時計回り，上乗歯車と主円盤は反時計回りに回転運動を継続する。
５．この後は２と３の運動を交互に繰返して回転運動を徐々に加速する。
６．水平回転棒に吊下棒と上乗棒を等角度に２個，３個，．．．と本装置を並べて配置することで回転力を容易に増大できて，また回転運動がより滑らかとなる。
【図面の簡単な説明】
【０００７】
【図１】吊下棒が水平での分離状態の正面図で吊下歯車と上乗歯車の回転落下力から吊下歯車が回転落下して上乗歯車が回転上昇することを示す。
【図２】吊下棒が水平での一体状態の正面図で全体重心の回転落下力から主円盤全体が反時計回りに回転することを示す。また一体状態での反時計回り回転力が分離状態での時計回り回転力より大きいことから本装置を水平回転棒に複数個並べることが有効であることを示している。
【図３】回転棒が水平状態での上乗歯車側から見た側面図である。
【図４】回転棒が水平状態での上面図である。
【符号の説明】
【０００８】  図１を参照
【図１】
2012021520.tif 000003
【図２】
2012021520.tif 000004
【図３】
2012021520.tif 000005
【図４】
2012021520.tif 000006
【手続補正書】
【提出日】平成22年9月21日(2010.9.21)
【手続補正１】
【補正対象書類名】明細書
【補正対象項目名】全文
【補正方法】変更
【補正の内容】
【発明の詳細な説明】
【技術分野】
【０００１】本発明は回転軸を保有する回転体を利用する技術に関するものである。
【背景技術】
【０００２】従来の回転装置では風力／水力／火力／原子力／電力等の資源を必要としている。
【発明の開示】
【発明が解決しようとする課題】
【０００３】従来の回転装置にて利用できる資源には次の課題点が掲げられる。
風力は適切な風を必要とするので常時の安定エネルギー供給に難がある。
水力は大きな設備を必要として最終エネルギーを必要とする場所から遠隔地に離れている。
火力は石油資源を消費することで温暖化等の大きな問題を生み出しており資源には限りがある。
原子力は事故発生時の影響が極端に大きく最終的に後処理の難しい副産物を発生している。
電力は現在上記の何れかを必要としている。
【課題を解決するための手段】
【０００４】この錘回転装置は常時地球上の地域性によらず普遍的に作用している重力を有効に利用することでこれらの課題を解決するものである。
【発明の効果】
【０００５】重力利用にて回転力を得られれば，例えば発電装置に利用することで必要とする各都市や各家庭または個々の機器等それぞれの用途に見合ったサイズの低公害の発電装置の開発が可能となる。
【本発明を実施するための最良の形態】
【０００６】■概要
図例のように歯車を組み合わせて各歯車の半径と吊下歯車および上乗歯車重量を適当な値にすると，吊下歯車と上乗歯車をそれぞれ分離した場合は回転落下力の差異から吊下歯車が回転落下して上乗歯車を転がしながら持上げて，同一棒に乗せて一体とした場合は全体の重心が落下するために回転体全体が回転することで吊下歯車を持上げられて上乗歯車が落下するという両者逆の上昇と下降運動を行なう。本装置はこの運動を交互に繰返す機構を組み込むことで装置内の錘を使用して回転運動を永続的に加速する。
■装置仕様
水平に置いた台に垂直に支柱を２本立てて支柱上部の間に水平回転棒を固定して装着する。水平回転棒に主円盤歯車は固定して，吊下棒と上乗棒および伝達歯車は自由に回転できるように装着する。吊下棒の一方には吊下歯車大小と逆回転歯車を自由に回転できるように装着して，他方先端には上乗棒を乗せるための突起物を切替装置として装着する。上乗棒の一方には上乗歯車を自由に回転できるように装着する。吊下棒と上乗棒が一直線となるように主円盤と吊下歯車と上乗歯車および逆回転歯車と伝達歯車をかみ合わせる。
上記概要条件から図例ではそれぞれの歯車半径は，主円盤２４０，伝達歯車大３６０，吊下歯車大９０，小６０，逆回転歯車４５，上乗歯車６０としているが，この場合の分離状態では吊下歯車は自身重量の４倍の上乗歯車重量と回転落下力が同一角度にて均衡するが，上乗歯車重量を吊下歯車重量と同一として楽に持上げられるようにしている。ここでの逆回転歯車は吊下歯車重量の回転落下力を伝達歯車に伝えることを目的としているのでできるだけ軽くすることとしてこの重量は考慮していない。
■動作仕様
１．図１のように吊下歯車が回転軸の右側に位置した状態で手で静止させてから手を離すと，吊下歯車と上乗歯車はそれぞれが独立して回転落下しようとするために切替装置は無関係な分離状態となる。吊下歯車は主円盤との接点を支点として自身重量Ｗの２倍の回転落下力を逆回転歯車を経由して伝達歯車に時計回りの回転力として伝える。一方上乗歯車は主円盤との接点を支点として自身重量Ｗの１／２倍の回転落下力を伝達歯車に反時計回りの回転力として伝える。この伝達歯車の回転力の差異から伝達歯車と吊下棒と上乗棒は回転軸を中心として時計回りに回転して吊下歯車はやがて回転軸鉛直線下方に位置付けられる。
２．吊下棒と上乗棒が回転軸鉛直線と一致するときは回転力は無くなるので回転に加速は無くなるが，この時点に達したときの回転運動の慣性力により吊下棒と上乗棒は回転軸鉛直線を超えて少し時計回りに回転してしまい上乗歯車は回転軸の右側まで移動する。
３．図２のように上乗歯車が回転軸の右側に位置した状態では吊下歯車と上乗歯車はそれぞれが同様に独立して回転落下しようとするが，上乗歯車は切替装置に乗せられて吊下歯車と上乗歯車の両者は吊下棒一本に乗せられた一体状態となるので，両者重心位置Ｇに合算重量２Ｗの回転力が吊下棒に加わる。この回転力により吊下棒は時計回りに回転を加速して伝達歯車も同様に回転して上乗歯車はやがて回転軸鉛直線下方に位置付けられる。
４．吊下棒と上乗棒が回転軸鉛直線と一致するときは回転力は無くなるので回転に加速は無くなるが，この時点に達したときの回転運動の慣性力により吊下棒と上乗棒は回転軸鉛直線を超えて少し時計回りに回転してしまい吊下歯車は回転軸の右側まで移動する。
５．この後は上記１〜４の運動を繰返して回転運動を徐々に加速する。
６．水平回転棒に吊下棒と上乗棒を等角度に２個，３個，．．．と増やして配置すると回転力を容易に増大できて，１個の吊下棒と上乗棒が回転軸鉛直線と一致するときは回転力は無くなるときも他のものにて回転力を生じていることから，常時生じる回転力からより力強くスムーズな回転駆動力を得られる。
【図面の簡単な説明】
【０００７】
【図１】吊下歯車が回転軸右側での正面図で装置が時計回りに回転することを示す。
【図２】上乗歯車が回転軸右側での正面図で装置が時計回りに回転することを示す。
【図３】回転棒が水平状態での上乗歯車側から見た側面図である。
【図４】回転棒が水平状態での上面図である。
【符号の説明】
【０００８】図１を参照
【手続補正２】
【補正対象書類名】図面
【補正対象項目名】全図
【補正方法】変更
【補正の内容】
【図１】
2012021520.tif 000007
【図２】
2012021520.tif 000008
【図３】
2012021520.tif 000009
【図４】
2012021520.tif 000010